(57)【要約】【課題】  給水管たる可撓管の接続容易性を向上し、またスプリンクラーヘッド側取付管自体に高さ位置調整可能な構成を採用することで、当該配管の施工性を高めた構造を開示する。【解決手段】  スプリンクラーヘッド側の取付管と給水設備側の接続部とを、中間に金属層を介在させ、その内外に樹脂層を設けた三層構造の可撓管で接続してなるスプリンクラー配管構造であって、可撓管の少なくとも一方の端部は前記スプリンクラーヘッド側取付管または給水設備接続部に対して、軸方向への嵌入により弾性的に係合するワンタッチジョイントによって構成した。また、スプリンクラーヘッド側取付管はエルボ管からなり、その湾曲肩部にネジ孔を形成したスライド片を突設すると共に、該スライド片を昇降可能に保持し、ネジ孔に挿入される止めネジにより、スプリンクラーヘッド側取付管を任意の高さ位置に固定可能な支柱を具備した。【選択図】        図２
2005185508.tif 000002
【特許請求の範囲】
【請求項１】
スプリンクラーヘッド側の取付管と給水設備側の接続部とを、中間に金属層を介在させ、その内外に樹脂層を設けた三層構造の可撓管で接続してなるスプリンクラー配管構造であって、前記可撓管の少なくとも一方の端部は前記スプリンクラーヘッド側取付管または給水設備接続部に対して、軸方向への嵌入により弾性的に係合するワンタッチジョイントによって構成したことを特徴とするスプリンクラー配管構造。
【請求項２】
前記スプリンクラーヘッド側取付管はエルボ管からなり、その湾曲肩部にネジ孔を形成したスライド片を突設すると共に、該スライド片を昇降可能に保持し、前記ネジ孔に挿入される止めネジにより、スプリンクラーヘッド側取付管を任意の高さ位置に固定可能な支柱を具備したことを特徴とする請求項１記載のスプリンクラー配管構造。
【請求項３】
給水設備側の接続部は、枝管を複数列設してなるヘッダーである請求項１または２記載のスプリンクラー配管構造。
【発明の詳細な説明】
【技術分野】
【０００１】
この発明は、スプリンクラーの配管構造に係り、可撓管の接続容易性を向上し、またスプリンクラーヘッド側取付管の位置調整を可能とすることで、当該配管の施工性を高めた構造に関するものである。
【背景技術】
【０００２】
この種スプリンクラー配管構造は、スプリンクラーヘッド側の取付管と給水設備側の接続部とを給水管により接続するものであるが、該給水管は管長が短いとその端部を前記取付管や接続部に接続することが全くできないため、設計上よりもやや長めのものが用意される。その反面、長めの給水管であると、余剰ができ、これまた現場において切断による長さ調整作業など、手間がかかるため、給水管を架橋ポリエチレン等合成樹脂による可撓管で構成し、余剰分を湾曲させて迂回させるなどの長さ調整を行っている。
【０００３】
このように、スプリンクラー配管構造における給水管は可撓管により構成されるのが一般的であるが、上記合成樹脂による場合は、小さく湾曲させることが困難であり、しかも湾曲部に弾性復元力が作用するため、これを固定する部材が必要となったり、接続端部に前記復元力による負担が不用意に作用するといった課題があった。
【０００４】
そこでは、本発明者は、中間に金属層を介在させ、その内外に樹脂層を設けた三層構造の可撓管を給水管として開示している（例えば、特許文献１を参照）。この三層構造の可撓管であれば、湾曲も容易で、しかも湾曲後における復元力が小さいことから、上記課題を解決することができる。
【０００５】
【特許文献１】特開２００３−２１０６０４号公報
【発明の開示】
【発明が解決しようとする課題】
【０００６】
しかしながら、上記特許文献１に開示の発明にあっても、可撓管の端部は従来の袋ナットにより接続されるものであるから、特にこの種スプリンクラー配管構造が天井裏など狭小なスペースに配設されることに鑑みれば、その接続作業は容易なものとは言えなかった。
【０００７】
また、上記特許文献１には、スプリンクラーヘッドを所定の高さ位置に取付けられる取付装置についても開示があるが、当該装置ではスプリンクラーヘッド側の取付管を抱持する取付金具が別途必要になるなど、配管にかかる部品点数が多くなり、また狭小なスペースにおける取付作業も困難であった。
【０００８】
本発明は上述した課題を解決するためになされたもので、その目的とするところは、スプリンクラーの配管構造において、給水管たる可撓管の接続容易性を向上し、またスプリンクラーヘッド側取付管自体に高さ位置調整可能な構成を採用することで、当該配管の施工性を高めた構造を開示することである。
【課題を解決するための手段】
【０００９】
上記目的を達成するために本発明では、スプリンクラーヘッド側の取付管と給水設備側の接続部とを、中間に金属層を介在させ、その内外に樹脂層を設けた三層構造の可撓管で接続してなるスプリンクラー配管構造であって、前記可撓管の少なくとも一方の端部は前記スプリンクラーヘッド側取付管または給水設備接続部に対して、軸方向への嵌入により弾性的に係合するワンタッチジョイントによって構成するという手段を用いた。
【００１０】
また、前記スプリンクラーヘッド側取付管はエルボ管からなり、その湾曲肩部にネジ孔を形成したスライド片を突設すると共に、該スライド片を昇降可能に保持し、前記ネジ孔に挿入される止めネジにより、スプリンクラーヘッド側取付管を任意の高さ位置に固定可能な支柱を具備するという手段を用いる。
【００１１】
さらに、給水設備側の接続部は、枝管を複数列設してなるヘッダーとすることもある。
【発明の効果】
【００１２】
本発明によれば、スプリンクラーヘッド側の取付管と給水設備側の接続部とを、中間に金属層を介在させ、その内外に樹脂層を設けた三層構造の可撓管で接続してなるスプリンクラー配管構造であって、前記可撓管の少なくとも一方の端部は前記スプリンクラーヘッド側取付管または給水設備接続部に対して、軸方向への嵌入により弾性的に係合するワンタッチジョイントによって構成したので、袋ナットを用いたり、可撓管を捻ることなく、手作業により押圧挿入するだけで可撓管の接続作業を容易に行うことができる。
【００１３】
また、スプリンクラーヘッド側取付管はエルボ管からなり、その湾曲肩部にネジ孔を形成したスライド片を突設すると共に、該スライド片を昇降可能に保持し、前記ネジ孔に挿入される止めネジにより、スプリンクラーヘッド側取付管を任意の高さ位置に固定可能な支柱を具備するようにしたので、従来のように別途取付金具を用いる必要がなくなり、接続にかかる部品点数を削減できると共に、高さ調整も容易に行うことができる。
【発明を実施するための最良の形態】
【００１４】
以下、本発明の好ましい実施の形態を添付した図面に従って説明する。図１は本発明に係る可撓管１とその端部構造の一実施形態を示したもので、可撓管１の給水設備（図示せず）側端部にはワンタッチジョイント２が、また、スプリンクラーヘッド（図示せず）側にはエルボ管からなる取付管３が設けられてる。可撓管１は、外側が樹脂層１ａ、中央がアルミニウムなどの金属層１ｂ、内側が樹脂層１ｃの三層構造からなる。この可撓管１に対してワンタッチジョイント２および取付管３は、その口部２ａ・３ａの外周に断面鋸歯状の食い込み歯２ｂ・３ｂが形成され、当該構造により可撓管１に差し込んだ後、抜けにくい構造としている。さらに、この実施形態では、ワンタッチジョイント２・取付管３を差し込む範囲に、予め、可撓管１の外周にステンレスやアルミニウムなど金属製の被覆筒４が挿入されており、前記差込み後、被覆筒４をかしめることによって、可撓管１の端部に適度な強度と硬直度を付与している。
【００１５】
図２は、ワンタッチジョイント２とヘッダー５の接続構造を示したものであって、この実施形態の場合、ヘッダー５は４つの分岐口６を併設してなり、各分岐口６に同一構造の継手７を設けている。即ち、当該継手７は、可撓管１のワンタッチジョイント２とほぼ同径の挿入口７ａを形成すると共に、その奥側にＯリング７ｂを設け、該挿入口７ａから大径に形成される段部７ｃにスプリング７ｄを内蔵すると共に、該スプリング７ｄとスライド筒７ｅによって止め輪７ｆを支持してなる。これに対して、可撓管１のワンタッチジョイント２は挿入部の中間に凹溝２ｃを形成しており、根元のフランジ２ｄがスライド筒７ｅのフランジ７ｇと当接し、スプリング７ｄに抗して継手７に挿入することで、凹溝２ｃに止め輪７ｆが係合し、接続されるものである。従って、この接続構造によれば、袋ナットを用いたり、可撓管１を捻るといった不都合もなく、可撓管１のワンタッチジョイント２をヘッダー５側の継手７に押圧挿入するだけで、簡単に接続作業が終了する。
【００１６】
なお、この実施形態では、給水設備側の接続部を分岐口（継手）を複数併設したヘッダーとしたが、本発明では分岐口の数はこれに限定されず、また複数をユニット化したヘッダーに限定する必要もない。要は、数の大小に拘わらず、可撓管の少なくとも一方の端部を給水設備接続部に対して、軸方向への嵌入により弾性的に係合するワンタッチジョイントによって構成することである。
【００１７】
次に、図３は、可撓管１のスプリンクラーヘッド側端部の構造を示したものであり、この端部には上述のようにエルボ型のヘッド取付管３が設けられている。該取付管３は、その湾曲肩部３ｃにネジ孔３ｄを形成したスライド片３ｅが一体的に突設されている。これを高さ調整可能に固定するための支柱８は、その上下方向に前記スライド片３ｅが挿入且つ昇降自在なスライド溝８ａが形成されており、止めネジ９によって任意の位置で固定できるように構成されている。従って、この構造によって高さの微調整までも可能となった。
【図面の簡単な説明】
【００１８】
【図１】本発明に係る可撓管とその端部構造全体を示した断面図
【図２】同、給水設備側の接続構造を示した説明図
【図３】同、スプリンクラーヘッド側の接続構造を示した説明図
【符号の説明】
【００１９】
１  可撓管
２  ワンタッチジョイント
３  取付管
４  被覆筒
５  ヘッダー
６  ヘッダーの分岐口
７  ヘッダー側の継手
８  支柱
【図１】
2005185508.tif 000003
【図２】
2005185508.tif 000004
【図３】
2005185508.tif 000005